(57)【要約】      （修正有）【課題】搬送上の問題を解消し、かつ、隣接するマット部分間に生ずる段差に対して違和感をできるだけ軽減させた組立式のマットレスを提供する。【解決手段】組立式マットレスは、アッパーマットＡとアンダーマットＢとマットレスカバーとから構成され、アッパーマットは３つに分割されたマット本体１０と、マット本体の左右両側にあてがうように配置される３つに分割された細長直方体形状の外枠体よりなるエッジマット２０とから構成され、アンダーマットＢは４つ折り可能になるように４つに分割されたマット片を連結して構成され、アッパーマットとアンダーマットの積層状態において、マット本体を構成する各マットの隣接境界線ａ、ｂと、エッジマットを構成する個々の外枠体の隣接境界線ｃ、ｄ、ｅ、ｆと、アンダーマットの各マット片の隣接境界線ｇ、ｈ、ｉとの位置がそれぞれ重ならないように構成してなるものである。【選択図】図４
2011019822.tif 000002
【特許請求の範囲】
【請求項１】
平板直方体形状のアッパーマットと、その下方に積み重ねられる平板直方体形状のアンダーマットと、アッパーマット及びアンダーマットを積み重ね状態で収納できる折り畳み可能なマットレスカバーとから構成され、
アッパーマットは、クッション性材料からなるマット本体から構成され、マット本体は、複数に分割されたそれぞれ同幅のマットからなり、
アンダーマットは、上記アッパーマットと同幅で同長さの大きさをなし、クッション性材料からなる複数に分割されたそれぞれ同幅のマット片からなり、
アッパーマットとアンダーマットとを積み重ねた状態において、アッパーマットにおけるマット本体を構成する各マットの隣接境界線と、アンダーマットの各マット片の隣接境界線とが重ならないように構成した、
ことを特徴とする組立式マットレス。
【請求項２】
アッパーマットは、マット本体が、頭部側を上にして、３つに分割されたそれぞれ同幅の上部マット、中間マット及び下部マットからなり、
アンダーマットは、４つに分割された同一形状のマット片を４つ折り可能になるように一部連結して構成した、
ことを特徴とする請求項１に記載の組立式マットレス。
【請求項３】
アッパーマットは、マット本体とクッション性材料からなるエッジマットとから構成され、
エッジマットは、マット本体の左右両側にあてがうように配置されるものであって、左右それぞれ毎に同幅で長さ方向に分割した細長直方体形状の外枠体よりなり、
アッパーマットとアンダーマットとを積み重ねた状態において、アッパーマットにおけるエッジマットを構成する各外枠体の隣接境界線が、アッパーマットにおけるマット本体を構成する各マットの隣接境界線及びアンダーマットの各マット片の隣接境界線に重ならないように構成し、
たことを特徴とする請求項１又は２に記載の組立式マットレス。
【請求項４】
マット本体は、その下面幅方向に嵩上げ部材収納用の袋体が設けられてなることを特徴とする請求項１〜３のいずれか１項に記載の組立式マットレス。
【請求項５】
マットレスカバーは、上面が開口した直方体形状の容器本体と、容器本体の上面開口部を閉塞する蓋体とから構成されるボックス型のものである
ことを特徴とする請求項１に記載の組立式マットレス。
【発明の詳細な説明】
【技術分野】
【０００１】
本発明は、組立式マットレスに関し、特に搬送が容易なベッド用の組立式マットレスに関する。
【背景技術】
【０００２】
生活様式が洋風に変化するにつれて、家庭やホテル等の宿泊施設においてベッドが使用されることが一般的になってきている。このようなベッドは、比較的豪華で頑丈に製作されているものが多い。すなわちベッドフレームは長期間の使用に耐え、かつ、重荷重にも耐えうるように丈夫に作成されており、ベッドにセットされているマットレスは、スプリングなどのクッション材を使用した内包材を雅趣に富んだ厚地のマットレスカバーにて被覆して構成されたものであり、厚みが１５ｃｍ程度の大判のものである。しかしながら、マットレスは、これを長期間使用していると、経年変化により内包材のクッション性が低下したり、マットレスカバーに破損又は汚損等の損傷が生じるので、一般にベッドフレームに比べてマットレスの方が寿命が短い。このようにマットレスにへたりや損傷が生じた場合には、マットレスを取り替える必要が生ずる。また、マットレスは寝心地に直接関係するものであり、寝心地が悪い場合にもマットレスを取り替える必要が生じる。このようにマットレスの取り替えが必要となったときに、マットレスのみを取り替えるかベッド全体を取り替えるかのいずれかの選択となる。
【０００３】
ところで、ベッドは、ベッドフレームが家具メーカにより製造され、そして寝具メーカにより製造されたマットレスがベッドフレームにセットされて、家具として販売されるのが一般的である。また、家具販売業者は、タンスや食器棚などの大型商品を搬送することに慣れており、そのための大型トラックや吊り上げ具などの輸送具を装備しているので、ベッドのような大型商品の搬送も常に可能である。しかし、寝具販売業者は、その取扱商品が一般的に布団、毛布、枕あるいはカバー類などの折り畳んで小型にできる商品であり、ベッドのような大型商品を搬送する輸送具を常に備えていないのが普通である。
【０００４】
そこで、従来よりマットレスを搬送に便利なようにコンパクトな形態に変化できるように、下記特許文献１〜３に示されるような折り畳み可能なマットレスが提案されている。
【先行技術文献】
【特許文献】
【０００５】
【特許文献１】特開２００５−２１１３９９号公報
【特許文献２】特開平９−２９９１９６号公報
【特許文献３】実用新案登録第３０８４０３９号公報
【発明の概要】
【発明が解決しようとする課題】
【０００６】
しかしながら、上記のような従来の折り畳み式のマットレスは、折り畳みを可能とするために一部が連続した個々のマットに分断されている。そのため個々の隣接するマット間の境界においては段差が生じたり、クッション性が低下する。この段差から生じる違和感やクッション性の低下により寝心地が悪いという欠点があり、この欠点を解消する工夫がなされていないのが現状である。また、マットレスの厚みを厚くすればするほどこの欠点は顕著に表れる。したがって、通常の折り畳み式のマットレスは１０ｃｍ以下のものが採用されている。
【０００７】
そこで、本発明者は鋭意研究を重ね、ベッド用のマットレスは通常はベッド上に載置したままであって折り畳む必要がほとんどないことに着目し、折り畳み式よりも組立式にすることにより搬送上の問題を解消し、かつ、隣接するマット間の境界における段差によるクッション性の変化をできるだけ生じさせないようにすることにより、使用時に違和感をできるだけ軽減させるように工夫した組立式のマットレスを発明した。
【課題を解決するための手段】
【０００８】
本発明に係る組立式マットレスは、平板直方体形状のアッパーマットと、その下方に積み重ねられる平板直方体形状のアンダーマットと、アッパーマット及びアンダーマットを積み重ね状態で収納できる折り畳み可能なマットレスカバーとから構成され、アッパーマットはクッション性材料からなるマット本体から構成され、マット本体は、複数に分割されたそれぞれ同幅のマットからなり、アンダーマットは、上記アッパーマットと同幅で同長さの大きさをなし、クッション性材料からなる複数に分割されたそれぞれ同幅のマット片からなり、アッパーマットとアンダーマットとを積み重ねた状態において、アッパーマットにおけるマット本体を構成する各マットの隣接境界線と、アンダーマットの各マット片の隣接境界線とが重ならないように構成したことを特徴とするものである。
【０００９】
また、上記構成の組立式マットレスにおいて、アッパーマットは、マット本体が、頭部側を上にして、３つに分割されたそれぞれ同幅の上部マット、中間マット及び下部マットからなり、アンダーマットは、４つに分割された同一形状のマット片を４つ折り可能になるように一部連結して構成してもよい。
【００１０】
さらに、上記構成の各組立式マットレスにおいて、アッパーマットは、マット本体とクッション性材料からなるエッジマットとから構成され、エッジマットは、マット本体の左右両側にあてがうように配置されるものであって、左右それぞれ毎に同幅で長さ方向に分割した細長直方体形状の外枠体よりなり、アッパーマットとアンダーマットとを積み重ねた状態において、アッパーマットにおけるエッジマットを構成する各外枠体の隣接境界線が、アッパーマットにおけるマット本体を構成する各マットの隣接境界線及びアンダーマットの各マット片の隣接境界線に重ならないように構成してもよい。
【００１１】
さらにまた、上記構成の各組立式マットレスにおいて、マット本体は、その下面に嵩上げ部材収納用の袋体が設けられてなるように構成してもよい。
【００１２】
また、上記構成の各組立式マットレスにおいて、マットレスカバーは、上面が開口した直方体形状の容器本体と、容器本体の上面開口部を閉塞する蓋体とから構成されるボックス型のものとしてもよい。
【発明の効果】
【００１３】
上記のように組立式マットレスを構成したことにより、アッパーマットとアンダーマットとマットレスカバーとを分離し、アッパーマットはそのマット本体を構成する各マットを積み重ね、アンダーマットとマットレスカバーとを折り畳み、エッジマットを備える場合はエッジマットを構成する個々の外枠体を積み重ねるとマットレス全体の長さが短くなり、通常の敷き布団や掛け布団の寝具と同程度に小型化するので、大型商品を搬送するための大型の輸送具を必要としない利点がある。
【００１４】
また、アッパーマットとアンダーマットとを積層した状態において、マット本体を構成する各マットの隣接境界線と、アンダーマットの各マット片の隣接境界線との位置がそれぞれ重ならないように構成し、エッジマットを備える場合は、エッジマットを構成する各外枠体の隣接境界線と、マット本体を構成する各マットの隣接境界線及びアンダーマットの各マット片の隣接境界線との位置がそれぞれ重ならないように構成したため、隣接するマット間の境界部分に生ずる段差が緩和され、マットレスにおけるマット間の境界部分におけるクッション性が良好となるので、違和感を軽減させた寝心地のよいマットレスとなる。
【００１５】
さらに、マット本体は、その下面幅方向に嵩上げ部材収納用の袋体が設けられたことにより、使用者の体格や好みに応じてマット本体を嵩上げしたり、部分的にへたりが生じた場合の補修を可能とする。
【００１６】
さらにまた、マットレスカバーを上面開口の容器本体と蓋体とにより構成したボックス型とすることにより、アッパーマット及びアンダーマットの組立収納及び解体が行いやすい利点がある。
【図面の簡単な説明】
【００１７】
【図１】実施例に係る組立式マットレスの分解状態を示す斜視図である。
【図２】実施例に係る組立式マットレスの組立状態を示す斜視図である。
【図３】実施例に係る組立式マットレスを分解して小型化した状態を示す斜視図である。
【図４】実施例に係る組立式マットレスにおけるアッパーマットとアンダーマットとを積層した状態の斜視図である。
【図５】実施例に係る組立式マットレスにおけるマット本体のマットに嵩上げ部材を収納する状態を示す斜視図である。
【発明を実施するための形態】
【００１８】
以下、本発明に係る組立式マットレスの実施例について、添付の図面に基づき詳細に説明する。なお、本実施例においてはシングル用のマットレスつにいて説明するが、サイズを変更すればセミダブル用やダブル用のマットレスにも適応することができる。
【実施例】
【００１９】
図１は、本実施例の組立式マットレスに関して横長に表したものであるが、本実施例の説明においては、一般に表現されるように頭部が位置する側（図において右側）を上側という。
【００２０】
図１〜図４において、Ａは平板な直方体形状をなすアッパーマットであり、マット本体１０とエッジマット２０とから構成される。マット本体１０は、上部マット１１、中間マット１２及び下部マット１３の３つに分割された同一大の直方体形状をなし、それぞれネット袋１１ａ、１２ａ、１３ａで包皮されている。マット１つのサイズは、幅８０ｃｍ、長さ６６．６ｃｍ、厚み９ｃｍであり、その表面がいずれも体圧分散を目的として波状の凹凸にプロファイル加工されたクッション性に優れたウレタンマットである。なお、本実施例においてはこのようなプロファイル加工されたウレタンマットを採用しているが、これに限られるものではなく、体圧分散を考慮して表面を加工した種々のウレタンマットや表面がフラットなウレタンマットを採用してもよい。また、図５に示すように、各マットを包皮するネット袋１１ａ、１２ａ、１３ａの下面には、幅方向に嵩上げ部材収納用の袋体１１ｂ、１２ｂ、１３ｂが設けられており、この袋体１１ｂ、１２ｂ、１３ｂに嵩上げ部材Ｄを収納することにより、好みに応じて、また、マットにへたりが生じた場合に、部分的にマットを嵩上げしたり、クッション性を付加することができる。
【００２１】
エッジマット２０は、マット本体１０の左右両側にあてがうように配置されるものであって、アッパーマットＡの保形性を維持し、周縁部を強化するためにクッション性はあるがやや硬質のウレタンマットから構成される。すなわち、エッジマット２０は、左右それぞれ３つに分割された外枠体よりなるものであって、マット本体１０の右側には、上から順に幅１０ｃｍ、長さ６０ｃｍ、厚み９ｃｍの右上外枠体２１、幅１０ｃｍ、長さ８０ｃｍ、厚み９ｃｍの右中外枠体２２、幅１０ｃｍ、長さ６０ｃｍ、厚み９ｃｍの右下外枠体２３が配置され、マット本体１０の左側には、上から順に幅７ｃｍ、長さ６０ｃｍ、厚み９ｃｍの左上外枠体２４、幅７ｃｍ、長さ８０ｃｍ、厚み９ｃｍの左中外枠体２５、幅７ｃｍ、長さ６０ｃｍ、厚み９ｃｍの左下外枠体２６が配置される。したがって、マット本体１０を構成する各マット１１、１２、１３とエッジマット２０を構成する各外枠体２１、２２、２３、２４、２５、２６とを組み合わせるとアッパーマットＡ全体の大きさは、幅９７ｃｍ、長さ２００ｃｍ、厚み９ｃｍとなる。
【００２２】
そして、マット本体を構成する各マット１１、１２、１３の長さを６６．６ｃｍとし、エッジマット２０を構成する左右上下の各外枠体２１、２３、２４、２６の長さを６０ｃｍとし、左右中央の各外枠体２２、２５を８０ｃｍとしたことにより、アッパーマットＡにおけるマット本体を構成する各マット１１、１２、１３の隣接境界線ａ、ｂとアッパーマットＡにおけるエッジマット２０を構成する各外枠体２１、２２、２３、２４、２５、２６の隣接境界線ｃ、ｄ、ｅ、ｆとが重ならないようになる。
【００２３】
なお、本実施例においてはアッパーマットＡとしてエッジマット２０を備えたものを示しているが、エッジマットを備えず、マット１つのサイズを幅９７ｃｍ、長さ６６．６ｃｍ、厚み９ｃｍの３つのマット本体のみからアッパーマットを構成してもよい。また、本実施例においては、マット本体１０を３つに分割したものであるが、これに限られるものではなく、後述するように、アッパーマットとアンダーマットとを積み重ねた状態において、アッパーマットにおけるマット本体を構成する各マットの隣接境界線と、アンダーマットの各マット片の隣接境界線とが重ならないように構成することを満たせば、本発明の効果は達成できる。
【００２４】
さらに、本実施例においては、マット１つのサイズを幅８０ｃｍ、長さ６６．６ｃｍ、厚み９ｃｍとしているがこれに限られるものではなく、分割された各マットが同一幅でかつ同一厚みであれば長さはそれぞれ異なるものとしてもよく、また、分割された各マットが同一幅でかつ同一厚みの条件の下で幅及び厚みは適宜変更可能である。一般的な変更例としては、セミダブルベッドの場合には、マットの幅を９７ｃｍとし、エッジマットを幅１３ｃｍのものと幅１０ｃｍのものとを使用して、合計幅１２０ｃｍとしてもよく、また、ダブルベッドの場合には、マットの幅を１２０ｃｍとし、エッジマットを幅１３ｃｍのものと幅７ｃｍのものとを使用して、合計幅１４０ｃｍとしてもよい。なお、このように変則的な組合せにした理由は、幅が８０ｃｍ、９７ｃｍ、１２０ｃｍの３種類のマットと幅が７ｃｍ、１０ｃｍ、１３ｃｍの３種類のエッジマットを用意しておけば、シングルベッドからダブルベッドまでの全ての組合せを構成することが可能になり、シングルベッド及びセミダブルベッドについてはエッジマットの要否の選択が可能となるからである。
【００２５】
Ｂは、アンダーマットであり、４つに分割された同一形状のマット片３１、３２、３３、３４を４つ折り可能になるように一部連結して構成したものである。１つのマット片の大きさは、幅９７ｃｍ、長さ５０ｃｍ、厚み６ｃｍであって、アンダーマットＢ全体の大きさは、幅９７ｃｍ、長さ２００ｃｍ、厚み６ｃｍの平板直方体形状なすものであって、上記アッパーマットＡと同幅で同長さの大きさである。もちろん、アッパーマットＡのサイズが変化すれば、アッパーマットＡのサイズに合わせてアンダーマットＢのサイズも変更する。各マット片３１、３２、３３、３４の材質は、アッパーマットＡを構成するマット本体１０にクッション性の優れた材料が使用されているため、やや硬質のウレタンから構成すると全体的な安定感が維持される。
【００２６】
そして、前記アッパーマットＡとアンダーマットＢを積み重ねた状態においては、アッパーマットＡのマット本体１０を構成する各マット１１、１２、１３の輪郭境界線ａ、ｂは下から６６．６．ｃｍと１３３．２ｃｍとに位置する。アッパーマットＡのエッジマット２０を構成する各外枠体の隣接境界線ｃ、ｄ、ｅ、ｆは下から６０ｃｍと１４０ｃｍとに位置する。アンダーマットＢを構成する各マット片３１、３２、３３、３４の隣接境界線ｇ、ｈ、ｉは下から５０ｃｍと１００ｃｍと１５０ｃｍとに位置する。したがって、アッパーマットＡとアンダーマットＢとを積み重ねた状態において、アッパーマットＡにおけるエッジマット２０を構成する各外枠体２１、２２、２３、２４、２５、２６の隣接境界線ｃ、ｄ、ｅ、ｆが、アッパーマットＡにおけるマット本体１０を構成する各マット１１、１２、１３の隣接境界線ａ、ｂ及びアンダーマットＢの各マット片の隣接境界線に重ならないように構成されると共にアッパーマットＡにおけるマット本体１０を構成する各マットの隣接境界線と、アンダーマットＢの各マット片３１、３２、３３、３４の隣接境界線ｇ、ｈ、ｉとが重ならないように構成されることになる。このように構成したため、隣接するマット間の境界部分に生ずる段差が緩和され、マットレスにおけるマット間の境界部分におけるクッション性が良好となるので、違和感が軽減させた寝心地のよいマットレスとなる。
【００２７】
Ｃは、マットレスカバーであって、折り畳み可能な布帛で形成されており、例として、ベッド用マットレスにふさわしく厚地で腰のある編織地や、中綿入りのキルティング生地などが適切である。マットレスカバーＣは、上面が開口した直方体形状の容器本体４０と、容器本体の上面開口部を閉塞する蓋体４１とから構成されるボックス型に形成されている。このように構成することにより、アッパーマットＡ及びアンダーマットＢの組立収納及び解体が行いやすい利点がある。なお、必ずしもボックス型でなく、袋式のものでもよい。
【００２８】
上記のように組立式マットレスを構成したことにより、図３に示すように、アッパーマットＡとアンダーマットＢとマットレスカバーＣとを分離し、アッパーマットＡはそのマット本体１０を構成する各マットを３段に積み重ねると、厚み２７ｃｍ、幅８０ｃｍ、長さ６６．６ｃｍの大きさとなり、アンダーマットＢを４つ折り状態に折り畳むと厚み２４ｃｍ、幅９７ｃｍ、長さ５０ｃｍの大きさとなり、エッジマット２０を適当に積み重ね、マッレスカバーＣを適当に折り畳めば、全体的な大きさは、通常の敷き布団や掛け布団の寝具と同程度に小型化するので、大型商品を搬送するための大型の輸送具を必要としない利点がある。
【符号の説明】
【００２９】
Ａ………アッパーマット  １０……マット本体
１１……上部マット  １１ａ…ネット袋  １１ｂ…袋体
１２……中間マット  １２ａ…ネット袋  １２ｂ…袋体
１３……下部マット  １３ａ…ネット袋  １３ｂ…袋体
２０……エッジマット
２１……右上外枠体  ２２……右中外枠体  ２３……右下外枠体
２４……左上外枠体  ２５……左中外枠体  ２６……左下外枠体
Ｂ………アンダーマット  ３１、３２、３３、３４…マット片
Ｃ………マットレスカバー  ４０………容器本体  ４１………蓋体
Ｄ………嵩上げ部材
ａ、ｂ……………マット本体を構成する各マットの隣接境界線
ｃ、ｄ、ｅ、ｆ…エッジマットを構成する各外枠体の隣接境界線
ｇ、ｈ、ｉ………アンダーマットを構成する各マット片の隣接境界線
【図１】
2011019822.tif 000003
【図２】
2011019822.tif 000004
【図３】
2011019822.tif 000005
【図４】
2011019822.tif 000006
【図５】
2011019822.tif 000007